(57)【要約】【目的】特に超広角側までズームできるズームレンズカメラにおいて、電源をオンして撮影可能になったときに、ファインダを覗いた使用者に異和感を生じさせないズームレンズカメラを提供する。【構成】光軸方向に移動する可動レンズ群Ｌ１、Ｌ２を備えたズームレンズＬと、該可動レンズ群Ｌ１、Ｌ２を移動させるズームモータ１８と、該ズームモータ１８を駆動して、非撮影時には前記可動レンズ群Ｌ１、Ｌ２を前記ズームレンズの全長が最も短くなる収納位置に引き込み、カメラの電源がオンしたときには前記ズームレンズＬを前記収納位置から電源オン停止位置まで繰り出すＣＰＵ１０とを備え、前記電源オン停止位置を、前記ズームレンズＬの可変の焦点距離範囲内において、最短焦点距離寄りの焦点距離になる位置とした。【選択図】      図６
2004184628.tif 000002
【特許請求の範囲】
【請求項１】
レンズ駆動手段によりズーミングされ、該レンズ駆動手段の駆動によって全長が変わるズームレンズと、
該レンズ駆動手段を駆動して、カメラの電源がオフされたときには前記ズームレンズをその全長が最も短くなる収納位置に引き込み、カメラの電源がオンされたときには前記ズームレンズを前記収納位置から撮影可能初期位置まで繰り出すズーム制御手段とを備え、
前記撮影可能初期位置は、前記ズームレンズの可変の最短焦点距離と最長焦点距離との間の焦点距離となる位置であることを特徴とするズームレンズカメラ。
【請求項２】
前記撮影可能初期位置は、前記最短焦点距離と最長焦点距離の中間焦点距離よりも最短焦点距離側の焦点距離となる位置である請求項１記載のズームレンズカメラ。
【請求項３】
前記ズームレンズカメラは、前記駆動手段により光軸方向に移動して焦点距離を変える可動レンズ群と、該可動レンズ群の現在位置に対応したズームコードを出力する検出手段を備え、前記ズーム制御手段は、前記検出手段が前記撮影可能初期位置に対応するズームコードを検出した位置に前記可動レンズ群を停止させる請求項１または２記載のズームレンズカメラ。
【請求項４】
前記ズームレンズカメラは、ズーミングに連動して視野倍率が変動するズームファインダ装置を備えている請求項１から３のいずれか一項記載のズームレンズカメラ。
【発明の詳細な説明】
【０００１】
【発明の技術分野】
本発明は、ズームレンズカメラに関する。
【０００２】
【従来技術およびその問題点】
従来のいわゆる３５ｍｍ銀塩フィルムカメラ、例えばレンズシャッタカメラ、コンパクトカメラなどにおいてパワーズームレンズを備えたズームレンズカメラでは、ズーミングのため光軸に沿って移動する可動レンズ群に連動してファインダ視野の視野倍率も変動するものが知られている。このズームレンズカメラは、電源をオフすると、ズームレンズの鏡筒が最も短くなる収納位置まで繰り込まれ、電源をオンすると撮影可能な最短焦点距離状態まで繰り出されている。ズームファインダも、この最短焦点距離対応の視野倍率に設定されている。撮影者は、この広角状態のズームファインダで被写体を確認し、被写体の状況に応じて長焦点距離側にズームさせて構図を決め、撮影している。従来のズームレンズカメラの最短焦点距離は、３５〜３８ｍｍ程度であった。そのため従来のズームレンズカメラを使用している者は、この広角焦点距離に対応するズームファインダの視野に慣れている。
この焦点距離３５〜３８ｍｍ前後の画角では、室内撮影、集合撮影、建物撮影においては狭過ぎる、もっと短焦点距離、広角レンズが欲しい、という要望があった。しかし、最短焦点距離が２８ｍｍよりも短いと、ズームファインダを覗いた使用者は、あまりの視野倍率の低さ、違いに異和感を感じることがある。
【０００３】
【発明の目的】
本発明は、かかる要望に基づいてなされたもので、特に超広角側までズームできるズームレンズカメラにおいて、電源をオンして撮影可能になったときに、ファインダを覗いた使用者に異和感を生じさせないズームレンズカメラを提供することを目的とする。
【０００４】
【発明の概要】
本発明は、レンズ駆動手段によりズーミングされ、該レンズ駆動手段の駆動によって全長が変わるズームレンズと、該レンズ駆動手段を駆動して、電源がオフされたときには前記ズームレンズをその全長が最も短くなる収納位置に引き込み、電源がオンされたときには前記ズームレンズを前記収納位置から撮影可能初期位置まで繰り出すズーム制御手段とを備え、前記撮影可能初期位置は、前記ズームレンズの可変の最短焦点距離と最長焦点距離との間の焦点距離となる位置であることに特徴を有している。
この構成によれば、電源をオンしたときに、ズームレンズが可変の最短焦点距離と最長焦点距離の間の焦点距離となる位置にズーミングされる。したがって使用者は、異和感の無い、使い勝ってのよい焦点距離から被写体の観察、撮影を開始することが可能になる。
撮影可能初期位置は、前記最短焦点距離と最長焦点距離の中間焦点距離よりも最短焦点距離側の焦点距離となる位置が望ましい。
【０００５】
前記ズームレンズカメラは、前記駆動手段により光軸方向に移動して焦点距離を変える可動レンズ群と、該可動レンズ群の現在位置に対応したズームコードを出力する検出手段を備え、前記ズーム制御手段は、前記検出手段が前記撮影可能初期位置に対応するズームコードを検出した位置に前記可動レンズ群を停止させる。
本発明は、ズーミングに連動して視野倍率が変動するズームファインダ装置を備えたズームレンズカメラに適している。
【０００６】
【発明の実施の形態】
以下、図面に基づき本発明の実施の形態を説明する。本ズームレンズカメラは、カメラボディ１とズームレンズＬからなり、予め設定された複数のレンズ位置でズーミング停止するステップズーム方式のカメラである。なお、このズームレンズカメラはズームレンズＬのズーミングに連動して視野倍率が変わるズームファインダ装置を備えているが、本発明は、ズームレンズの構成およびズームファインダの構成は本発明の特徴ではないので、簡略化して図示する。
【０００７】
ズームレンズＬは、図１に示すように、被写体側（図１において左側）から可動第１レンズ群Ｌ１と可動第２レンズ群Ｌ２を備えた２群タイプのズームレンズである。可動第１レンズ群Ｌ１は、カムリング５１の回転に連動して回転しないで直進移動するヘリコイド環５３の先端部（図１において左側）に支持されていて、ヘリコイド環５３と一体に光軸方向に直進移動する。カムリング５１は、ズームモータ１８によって回転駆動され、回転しながらさらに光軸方向にも移動するようにカメラボディ１の固定鏡筒５５に支持されている。一方、可動第２レンズ群Ｌ２は、カムリング５１内の直進案内環（不図示）を介して、カムリング５１の内周面に形成されたカム溝（不図示）に嵌合しており、カムリング５１が回転すると、上記カム溝と直進案内環とに案内されて光軸方向に直進移動する。なお図１では、焦点調節レンズ機構を省略しているが、例えばヘリコイド環５３の後端部に配設されたＡＦシャッタブロック（不図示）に備えられる。
【０００８】
本実施形態のズームレンズＬは、テレ方向にズーミングされると、可動第１レンズ群Ｌ１がフィルム面から離反する方向に移動し、ワイド方向にズーミングされると、可動第１レンズ群Ｌ１がフィルム面に接近する方向に移動する。すなわち本実施形態において、テレ方向とはレンズ鏡筒がカメラボディ１から繰り出されて全長が長くなる方向をいい、ワイド方向とはレンズ鏡筒がカメラボディ１内に引き込まれて全長が短くなる方向をいう。また、ズームモータ１８の回転方向は、ズームレンズＬをテレ側へ繰り出す方向を正転、ズームレンズＬをワイド側へ引き戻す方向を逆転ということにする。
【０００９】
また、このズームレンズカメラは、ズームレンズＬのズーミングに連動して視野が変倍するズームファインダ装置６０を備えている。このズームファインダ装置６０は、固定ファインダレンズＦＬ１と可動ファインダレンズＦＬ２を有している。可動ファインダレンズＦＬ２は、５１の回動に連動するカム機構６１によってズーミングに連動して光軸に沿って移動し、ファインダ視野倍率をズームレンズの焦点距離（画角）に応じて変える構成である。
【００１０】
図２は本ズームレンズカメラの制御系の主要構成を示すブロック図である。カメラボディ１は、カメラ動作を総括的に制御するＣＰＵ１０を備えている。ＣＰＵ１０は、制御用プログラム等を格納したＲＯＭ１０ａ、制御用または演算用のパラメータ等を一時的にメモリするＲＡＭ１０ｂ、Ａ／Ｄ変換器１０ｃを内蔵している。
【００１１】
ＣＰＵ１０は、スイッチ類として、電源のオン／オフ状態を切り替える電源スイッチＳＷＭ、カメラボディ１の裏蓋（不図示）の開閉状態を検出する裏蓋スイッチＳＷＵ、テレスイッチＳＷＴ、ワイドスイッチＳＷＷ、測光スイッチＳＷＳ、およびレリーズスイッチＳＷＲを備えている。
【００１２】
テレスイッチＳＷＴ及びワイドスイッチＳＷＷは、ズームレンズＬをテレ方向またはワイド方向へズーミングさせるズームレバー（不図示）に連動し、ズームレバーがテレ側へ操作されたときにテレスイッチＳＷＴがオンし、ワイド側へ操作されたときにワイドスイッチＳＷＷがオンする。測光スイッチＳＷＳ及びレリーズスイッチＳＷＲは、シャッタボタン（不図示）に連動する２段階スイッチであって、半押しされたときに測光スイッチＳＷＳがオンし、全押しされたときにレリーズスイッチＳＷＲがオンする。
【００１３】
またＣＰＵ１０には、駆動電源となる電池１３、フィルム給送モータ１６を介してフィルムを巻き上げ／巻き戻すフィルム給送回路１７、ズームモータ１８を介してズームレンズＬをズーミングさせるズームレンズ駆動回路１９、フォーカスモータ２０を介して焦点調節レンズ群（不図示）を移動させるフォーカス駆動回路２１、シャッタ駆動及び絞り開閉を制御する露出制御回路２３、撮影に関する情報を表示するＬＣＤパネル２５、被写体光を受光して該受光量に応じた測光信号を出力する測光回路２７、被写体の焦点状態を検出する測距回路２９、外部メモリ手段としてのＥＥＰＲＯＭ３１、フィルム給送信号を入力するフィルム給送信号入力回路３３、ズームレンズＬの現在位置に対応したズームコードを検出するズームエンコーダ回路３５、及びフィルムのＤＸコードからＩＳＯ感度情報等を読み取るＤＸコード入力回路３７がそれぞれ接続されている。
【００１４】
ＥＥＰＲＯＭ３１には、電源スイッチがオンされたときにズームレンズＬの可動第１レンズ群Ｌ１、可動第２レンズ群Ｌ２を移動させ、停止させる電源オン停止位置（撮影可能初期位置）を設定する指定データが格納されている。この指定データはカメラ機種に応じて予めＥＥＰＲＯＭ３１に書き込まれる。ＣＰＵ１０は、ズームレンズＬ（第１可動レンズ群Ｌ１）を収納状態から電源オン停止位置まで繰り出すテレ方向でズーミングさせているときに、ズームレンズＬが指定データによって指定された電源オン停止位置に達すると、ズームモータ１８を停止させる。本実施形態では、上記指定データを書き換えることによって、ズームレンズＬの電源オン停止位置を変更することができる。
【００１５】
次に、図３及び図４を参照し、ズームエンコーダ回路３５及びズームエンコーダ回路３５によって検出されるズームコードについて、より詳細に説明する。
【００１６】
ズームエンコーダ回路３５は、ズームレンズＬの固定レンズ鏡筒５５に固定されたコード板３５ａと、ヘリコイド環５３に固定されて可動第１レンズ群Ｌ１及びヘリコイド環５３とともに移動するブラシ３５ｂから構成される（図１参照）。コード板３５ａは、可動第１レンズ群Ｌ１の絶対位置に対応するコードパターンが絶縁材上に導電材で形成されたものであって（図３（Ａ））、例えばプリント基板として形成される。各コードパターンの一端部には、端子ＺＣ０、ＺＣ１、ＺＣ２、ＺＣ３、ＺＣ４がそれぞれ設けられている。これら５つの端子ＺＣ０、ＺＣ１、ＺＣ２、ＺＣ３、ＺＣ４は、図４に示すように、抵抗値が異なる４個の抵抗Ｒ１、Ｒ２、Ｒ３、Ｒ４の直列接続回路に接続されている。端子ＺＣ１、ＺＣ２、ＺＣ３はそれぞれ抵抗Ｒ１、Ｒ２、Ｒ３、Ｒ４の各抵抗間に接続されており、端子ＺＣ０はグランドに接続され、端子ＺＣ４は正電圧端子Ｖｃｃに接続されている。また抵抗Ｒ３と抵抗Ｒ４の間には、ＣＰＵ１０への出力端子ＺＣＤが設けられている。なお、出力端子ＺＣＤは端子ＺＣ３と同電位になる。
【００１７】
ブラシ３５ｂは、可動第１レンズ群Ｌ１の移動に連動してコード板３５ａ上を摺動する。そして可動第１レンズ群Ｌ１が所定のレンズ位置に達する毎に、導通部（コードパターン）に接触し、端子ＺＣ０〜ＺＣ４のいずれか２端子を短絡する（図３（Ｂ））。すると、短絡された端子に応じた電圧が出力端子ＺＣＤに発生する（図３（Ｃ））。出力端子ＺＣＤに発生した電圧は、Ａ／Ｄ変換器１０ｃを介してＣＰＵ１０に取り込まれる。ＣＰＵ１０は、入力したＡ／Ｄ変換値をズームコードに変換し、このズームコードに基づいてズームレンズＬの現在位置を判定する。この実施例では、焦点距離によってＦ値が変動するので、判定したズームレンズＬの現在位置に対応する露出補正量を検出して露出補正を行なう。
【００１８】
本実施形態では、上記ズームコードとしてＬＯＣＫ、ＷＩＤＥ、ＣＤ＿Ａ、ＣＤ＿Ｂ、ＣＤ＿Ｃ、ＴＥＬＥ、ＯＦＦの７コードがある。図３（Ｄ）には各ズームコードに対応するレンズ位置、ズームステップ、露出補正量、焦点距離をそれぞれ示してある。また表１には、各ズームコードを検出したときに短絡される端子の組合せ、及び出力端子ＺＣＤに発生する電圧（％）を示した。
【００１９】
【表１】
2004184628.tif 000003
【００２０】
上記ＬＯＣＫ、ＴＥＬＥ、ＷＩＤＥの３コードは、絶対コードであり、それぞれ収納位置、テレ端、ワイド端を示している。これに対し、ＣＤ＿Ａ、ＣＤ＿Ｂ、ＣＤ＿Ｃの３コードはズームレンズＬのズーム範囲内で繰り返し出力される相対コードである。本実施形態において、収納位置はズームレンズＬのワイド方向における機械的な限界位置でもあり、テレ端はズームレンズＬのテレ方向における機械的な限界位置でもある。またワイド端はズームレンズＬを上記収納位置からテレ方向へ所定量繰り出した位置である。なお、ズームレンズＬが次のレンズ位置へ移動している間（各ズームコード間）は、いずれの端子ＺＣ０〜ＺＣ４も短絡されていないＯＦＦコードとなる。
本実施形態では、上記の各ズームコードを入力している位置でズームレンズＬを停止させることができる。ＣＰＵ１０は、ワイド端からテレ端までの間に設けたズームレンズＬの各停止位置を、図３（Ｄ）に示すようにズームステップ０〜９によって識別する。
【００２１】
このズームレンズＬのズーム範囲は、２４ｍｍ〜１０５ｍｍである。図３において、例えば、ズームステップ＝０（ワイド端）におけるズームレンズＬの焦点距離を２４ｍｍとし、ズームステップ＝１〜９におけるズームレンズＬの焦点距離をそれぞれ３２、３８、４２、４８、５２、７０、８０、９０、１０５ｍｍとする。そして、ズームステップ２、焦点距離３８ｍｍを、電源オン停止位置としてあり、指定データとしてＥＥＰＲＯＭ３１に書き込まれている。
【００２２】
このように本実施形態によれば、電源オン停止位置としてＥＥＰＲＯＭ３１に書き込む指定データを変更するだけで、電源オン停止位置が異なるズームレンズカメラを提供できる。なお、上記指定データの書き込みは工場出荷前の製造工程内で行なうことを想定しているが、使用者が変更する構成にすることも可能である。
【００２３】
上記構成に基づき、カメラボディ１の動作について、図５〜図１１を参照して説明する。図５は、カメラボディ１に電池１３が装填されたときにＣＰＵ１０によって実行されるメイン処理に関するフローチャートである。なお、本明細書において、ステップは「Ｓ」と省略する。
この処理に入ると先ず、初期化処理を実行する（Ｓ１）。この初期化処理では、ＲＡＭ１０ｂや各ポートが初期化されるほか、ズームレンズＬの電源オン停止位置を指定する指定データがＥＥＰＲＯＭ３１からＲＡＭ１０ｂにロードされる。
【００２４】
初期化処理を実行したら、電源オン状態がセットされているか否かをチェックする（Ｓ３）。電源オン状態がセットされていないときは（Ｓ３；Ｎ）、電源スイッチＳＷＭのオン割り込みを許可して低消費電力モードに移行する（Ｓ５）。この電源オフ状態では、電源スイッチＳＷＭ以外のスイッチ操作がなされても無効となる。そして電源スイッチＳＷＭがオンしたら、レンズ繰出処理を実行し、Ｓ３へ戻る（Ｓ７）。レンズ繰出処理では、ズームレンズＬが電源オン停止位置まで繰り出されるとともに、電源オン状態がセットされる。
【００２５】
電源オン状態がセットされているときは（Ｓ３；Ｙ）、全てのスイッチ操作が有効となり、操作されたスイッチに応じた処理を実行する。すなわち、電源スイッチＳＷＭがオフしたときは（Ｓ９；Ｙ）、ズームレンズＬを収納位置まで引き戻すレンズ収納処理を実行し、Ｓ３へ戻る（Ｓ１１）。裏蓋スイッチＳＷＵが変化したときは（Ｓ１３；Ｙ）、裏蓋開閉処理を実行し、Ｓ３へ戻る（Ｓ１５）。裏蓋開閉処理では、裏蓋が閉じられた場合には装填されたフィルムの１コマ目をセットするフィルムローディング動作を行い、裏蓋が開けられた場合にはフィルム枚数カウンタをクリアする等の初期化を行なう。
【００２６】
テレスイッチＳＷＴがオンしたときは（Ｓ１７；Ｙ）、ズームレンズＬをテレ方向へズーミングさせるテレズーム処理を実行し、Ｓ３へ戻る（Ｓ１９）。ワイドスイッチＳＷＷがオンしたときは（Ｓ２１；Ｙ）、ズームレンズＬをワイド方向へズーミングさせるワイドズーム処理を実行し、Ｓ３へ戻る（Ｓ２３）。
【００２７】
測光スイッチＳＷＳがオフからオンに変化したときは（Ｓ２５；Ｙ）、撮影処理を実行する（Ｓ２７）。撮影処理では、測光回路２７から入力した測光信号やＩＳＯ感度情報等に基づいてＡＥ演算を実行して適正露出値（適正シャッタ速度及び絞り値）を算出し、ズームエンコーダ回路３５から入力したズームコードに基づいて露出補正を行なうとともに、測距回路２９から入力した被写体距離情報に基づいて焦点調節レンズ群を移動させる。そしてレリーズスイッチＳＷＲがオンしたときに、露出補正後の適正シャッタ速度及び絞り値で露出させ、撮影処理を抜ける。なおレリーズスイッチＳＷＲがオンすることなく測光スイッチＳＷＳがオフした場合は、露出せずに撮影処理から抜ける。
【００２８】
撮影処理を抜けたら、フィルム巻上げが必要か否かをチェックする（Ｓ２９）。本実施形態では、カメラボディ１にフィルムが装填された状態で撮影が正常に終了した場合はフィルム巻上げが必要となっている。フィルム巻上げが必要でない場合、すなわちカメラボディ１にフィルムが装填されていない状態で露出された場合や露出が行なわれなかった場合は、Ｓ３へ戻る（Ｓ２９；Ｎ）。フィルム巻上げが必要であれば（Ｓ２９；Ｙ）、フィルム巻上げ処理を実行し（Ｓ３１）、フィルムを一コマ分巻き上げたらＳ３へ戻る（Ｓ３３；Ｎ）。フィルムを一コマ分巻き上げられなかった場合、すなわちフィルムが終端に達している場合は（Ｓ３３；Ｙ）、フィルム巻戻し処理を実行してフィルムをパトローネ内に巻戻し、Ｓ３へ戻る（Ｓ３５）。
【００２９】
上述の電源スイッチＳＷＭ、裏蓋スイッチＳＷＵ、テレスイッチＳＷＴ、ワイドスイッチＳＷＷ、測光スイッチＳＷＳのいずれも操作されていない場合は、Ｓ３へ戻る（Ｓ２５；Ｎ、Ｓ３）。
【００３０】
次に、図６を参照して、Ｓ７で実行されるレンズ操出処理について説明する。この処理に入ると先ず、ズームレンズ駆動回路１９を介してズームモータ１８を正転させる（Ｓ５１）。ズームモータ１８が正転すると、ズームレンズＬがテレ方向（繰り出し方向）へズーミングし、これに伴ってブラシ３５ｂがコード板３５ａ上を摺動し、ブラシ３５ｂが接触したコードパターンに対応する電圧がズームエンコーダ回路３５からＣＰＵ１０へ出力される。
【００３１】
続いて、レンズ位置判定処理を行なう（Ｓ５３）。レンズ位置判定処理では、ズームエンコーダ回路３５の出力電圧に基づいて可動第１レンズ群Ｌ１の現在位置を判定する。レンズ位置判定処理を実行したら、判定した可動第１レンズ群Ｌ１の現在位置が電源オン停止位置か否かをチェックする（Ｓ５５）。可動第１レンズ群Ｌ１の現在位置が電源オン停止位置でなければ、可動第１レンズ群Ｌ１が電源オン停止位置に達するまで、Ｓ５３及びＳ５５の処理を繰り返す（Ｓ５５；Ｎ）。そして可動第１レンズ群Ｌ１が電源オン停止位置に達したら（Ｓ５５；Ｙ）、ズームレンズ駆動回路１９を介してズームモータ１８を停止し（Ｓ５７）、電源オン状態をセットし（Ｓ５９）、メイン処理にリターンする。
【００３２】
次に、図７を参照し、Ｓ１１で実行されるレンズ収納処理について説明する。この処理に入ると先ず、ズームレンズ駆動回路１９を介してズームモータ１８を逆転させる（Ｓ７１）。ズームモータ１８が逆転すると、ズームレンズＬがワイド方向へズーミングし、これに伴ってブラシ３５ｂがコード板３５ａ上を摺動し、ブラシ３５ｂが接触したコードパターンに対応する電圧がズームエンコーダ回路３５からＣＰＵ１０へ出力される。
【００３３】
続いて、ズームエンコーダ回路３５の出力電圧に基づいて可動第１レンズ群Ｌ１の現在位置を判定し（Ｓ７３）、可動第１レンズ群Ｌ１の現在位置が収納位置か否かをチェックする（Ｓ７５）。該現在位置が収納位置でなければ、可動第１レンズ群Ｌ１が収納位置に引き込まれるまで、Ｓ７３及びＳ７５の処理を繰り返す（Ｓ７５；Ｎ）。そして可動第１レンズ群Ｌ１が収納位置まで引き込まれたら（Ｓ７５；Ｙ）、ズームレンズ駆動回路１９を介してズームモータ１８を停止し（Ｓ７７）、電源オフ状態をセットしてメイン処理へリターンする（Ｓ７９）。
【００３４】
次に、図８を参照し、Ｓ１９で実行されるテレズーム処理について説明する。この処理に入ると先ず、ズームレンズ駆動回路１９を介してズームモータ１８を正転し（Ｓ８１）、ズームエンコーダ回路３５の出力電圧に基づいてレンズ位置判定処理を実行し（Ｓ８３）、ズームレンズＬの現在位置がテレ端か否かをチェックする（Ｓ８５）。ズームレンズＬの現在位置がテレ端でなければ（Ｓ８５；Ｎ）、ズームレンズＬが次のステップ位置（ズームステップ）に達しているか否かをチェックし（Ｓ８７）、次のステップ位置に達していなければＳ８３へ戻る。（Ｓ８７；Ｎ）。なお、Ｓ８７でズームレンズＬが次のステップ位置に達するまで待機するのは、テレスイッチＳＷＴがオフしたときにオフ直後のステップ位置、すなわちズームコード入力状態でズームレンズＬを停止させるためである。
【００３５】
そして次のステップ位置に達したら（Ｓ８７；Ｙ）、テレスイッチＳＷＴがオンしているか否かをチェックする（Ｓ８９）。テレスイッチＳＷＴがオンしていれば、Ｓ８３へ戻り、Ｓ８３〜Ｓ８９の処理が繰り返される（Ｓ８９；Ｙ）。
【００３６】
そしてテレスイッチＳＷＴがオンしていなかったとき（Ｓ８９；Ｎ）、ズームレンズＬがテレ端位置に達したときは（Ｓ８５；Ｙ）、ズームレンズ駆動回路１９を介してズームモータ１８を停止し（Ｓ９１）、メイン処理へリターンする。
【００３７】
次に、図９を参照し、Ｓ２３で実行されるワイドズーム処理について説明する。この処理に入ると先ず、ズームレンズ駆動回路１９を介してズームモータ１８を逆転し（Ｓ１１１）、ズームエンコーダ回路３５の出力電圧に基づいてレンズ位置判定処理を実行し（Ｓ１１３）、ズームレンズＬの現在位置がワイド端か否かをチェックする（Ｓ１１５）。ズームレンズＬの現在位置がワイド端でなければ（Ｓ１１５；Ｎ）、ズームレンズＬが次のステップ位置（ズームステップ）に達しているか否かをチェックし（Ｓ１１７）、次のステップ位置に達していなければＳ１１３へ戻る。（Ｓ１１７；Ｎ）。そして次のステップ位置に達したら（Ｓ１１７；Ｙ）、ワイドスイッチＳＷＷがオンしているか否かをチェックする（Ｓ１１９）。ワイドスイッチＳＷＷがオンしていればＳ１１３へ戻る（Ｓ１１９；Ｙ）。そして、ズームレンズＬがワイド端に達したとき（Ｓ１１５；Ｙ）、ワイドスイッチＳＷＷがオンしていなかったときは（Ｓ１１９；Ｎ）、バックラッシュ処理を実行してズームモータ１８を停止させ、メイン処理へリターンする（Ｓ１２１）。
【００３８】
次に、図１０を参照し、Ｓ１２１で実行されるバックラッシュ処理について説明する。この処理に入ると先ず、ズームエンコーダ回路３５の出力電圧に基づいて現在のズームコードを求め、メモリＡ（ＲＡＭ１０ｂ）に記憶する（Ｓ１３１）。現在のズームコードを記憶したら、レンズ位置判定処理を実行し（Ｓ１３３）、ＯＦＦコードを入力したか否かをチェックする（Ｓ１３５）。ＯＦＦコードを入力しなかったときは、Ｓ１３３へ戻り、ＯＦＦコードを入力するまで待機する（Ｓ１３５；Ｎ）。そしてＯＦＦコードを入力したら（Ｓ１３５；Ｙ）、所定のバックラッシュ時間だけ待機して（Ｓ１３７）、ズームモータ１８を正転させる（Ｓ１３９）。ズームモータ１８を正転させたら、ズームレンズＬの現在位置をチェックしながらメモリＡに記憶したズームコードを入力するまで待機し（Ｓ１４１、Ｓ１４３；Ｎ）、該メモリＡに記憶したズームコードを入力したときにズームモータ１８を停止させ、リターンする（Ｓ１４３；Ｙ、Ｓ１４５）。
【００３９】
次に、図１１を参照し、Ｓ５３、Ｓ７３、Ｓ８３、Ｓ１１３、Ｓ１３３、Ｓ１４１で実行されるレンズ位置判定処理について説明する。この処理に入ると先ず、ズームエンコーダ回路３５から出力された電圧を入力してＡ／Ｄ変換し（Ｓ１５１）、Ａ／Ｄ変換値をズームコードに変換し（Ｓ１５３）、求めたズームコードに応じて以下のように処理を進める。
【００４０】
ズームコードがＯＦＦコードであったときは、そのまま呼び出し処理へリターンする（Ｓ１５５；Ｙ）。ズームコードがＬＯＣＫコードであったときは、レンズ位置に収納位置をセットしてＲＡＭ１０ｂに書き込み、呼び出し処理へリターンする（Ｓ１５５；Ｎ、Ｓ１５７；Ｙ、Ｓ１５９）。ズームコードがＷＩＤＥコードであったときは、レンズ位置にワイド端をセットしてＲＡＭ１０ｂに書き込み、呼び出し処理へリターンする（Ｓ１５７；Ｎ、Ｓ１６１；Ｙ、Ｓ１６３）。ズームコードがＴＥＬＥコードであったときは、レンズ位置にテレ端をセットしてＲＡＭ１０ｂに書き込み、呼び出し処理へリターンする（Ｓ１６１；Ｎ、Ｓ１６５；Ｙ、Ｓ１６７）。
【００４１】
ズームコードが上記ＯＦＦ、ＬＯＣＫ、ＷＩＤＥ、ＴＥＬＥのいずれでもなかったとき、すなわちＣＤ＿Ａ、ＣＤ＿Ｂ、ＣＤ＿Ｃのいずれかであるときは、現在ＲＡＭ１０ｂにメモリされているレンズ位置及びズームモータ１８の回転方向に基づいて、次に入力する次コードを算出する（Ｓ１６５；Ｎ、Ｓ１６９）。そして、算出した次コードとズームコードが一致するか否かをチェックし（Ｓ１７１）、次コードとズームコードが一致しなかったときは、そのまま呼び出し処理へリターンする（Ｓ１７１；Ｎ）。この場合には、例えばズームレンズＬが何らかの外力で押されて次のレンズ位置までズーミングしていなかったと考えられるためである。次コードとズームコードが一致したとき、すなわちズームレンズＬが次のレンズ位置までズーミングしているときは、ズームモータ１８の回転方向をチェックする（Ｓ１７１；Ｙ、Ｓ１７３）。ズームモータ１８が正転しているとき、すなわちズームレンズＬをテレ方向へズーミングしているときは、レンズ位置を＋１ステップだけシフトしてＲＡＭ１０ｂにメモリし、呼び出し処理へリターンする（Ｓ１７３；Ｙ、Ｓ１７５）。一方、ズームモータ１８が逆転しているとき、すなわちズームレンズＬをワイド方向へズーミングしているときは、レンズ位置を−１ステップだけシフトしてＲＡＭ１０ｂにメモリし、呼び出し処理へリターンする（Ｓ１７３；Ｎ、Ｓ１７７）。
【００４２】
以上の通り本実施形態では、ズーム範囲２４ｍｍ〜１０５ｍｍのズームレンズカメラにおいて、電源をオンしたときは、収納状態のズームレンズが焦点距離３８ｍｍにズームして停止するので、多くの使用者が見慣れたファインダ視野、視野倍率で被写体を観察し、構図決めなどができる。
【００４３】
以上説明した実施形態では、ズームレンズＬの可動第１レンズ群Ｌ１の位置をズームコードにより検出してズームレンズＬを電源オン停止位置で停止させているが、検出する対象は第２レンズ群Ｌ１でもよく、検出手段はスイッチでもよく、要するに電源オン停止位置、停止させる現焦点距離を検出できればよい。
また、本発明は、いわゆる銀塩フィルムカメラ、ディジタルカメラのいずれにも適用可能であり、パワーズームレンズの着脱が可能な一眼レフカメラに適用することも可能である。
【００４４】
【発明の効果】
以上の説明から明らかな通り本発明によれば、電源をオンすると、ズームレンズが可変の最短焦点距離と最長焦点距離との間で最短焦点距離よりの焦点距離となる位置にズーミングされるので、使用者は異和感の無い、使い勝ってのよい焦点距離から被写体の観察、撮影を開始することができる。
【図面の簡単な説明】
【図１】本発明を適用したズームレンズカメラのズームレンズの概要を示す図である。
【図２】同ズームレンズカメラの制御系を示すブロック図である。
【図３】同ズームレンズのレンズ位置に応じて出力されるズームコードを説明する図である。
【図４】同ズームレンズカメラが備えたズームエンコーダ回路（ブラシ）を説明する図である。
【図５】同ズームレンズカメラのメイン処理に関するフローチャートである。
【図６】同ズームレンズカメラのレンズ操出処理に関するフローチャートである。
【図７】同ズームレンズカメラのレンズ収納処理に関するフローチャートである。
【図８】同ズームレンズカメラのテレズーム処理に関するフローチャートである。
【図９】同ズームレンズカメラのワイドズーム処理に関するフローチャートである。
【図１０】同ズームレンズカメラのバックラッシュ処理に関するフローチャートである。
【図１１】同ズームレンズカメラのレンズ位置判定処理に関するフローチャートである。
【符号の説明】
１  カメラボディ
１０  ＣＰＵ
１８  ズームモータ
３１  ＥＥＰＲＯＭ（メモリ手段）
３５  ズームエンコーダ回路
３５ａ  コード板
３５ｂ  ブラシ
６０  ズームファインダ装置
Ｌ  ズームレンズ
Ｌ１  可動第１レンズ群
Ｌ２  可動第２レンズ群
【図１】
2004184628.tif 000004
【図２】
2004184628.tif 000005
【図３】
2004184628.tif 000006
【図４】
2004184628.tif 000007
【図５】
2004184628.tif 000008
【図６】
2004184628.tif 000009
【図７】
2004184628.tif 000010
【図８】
2004184628.tif 000011
【図９】
2004184628.tif 000012
【図１０】
2004184628.tif 000013
【図１１】
2004184628.tif 000014